(57)【要約】【課題】画素サイズが５００μｍ×５００μｍを超える表示パネル内における、表示媒体とする粒子群の偏在をなくすことができ、表示品質の低下および駆動性の低下を防ぐことができるＡ３判以上のドットマトリックス型情報表示用パネルを提供する。【解決手段】帯電性粒子を含んだ粒子群として構成した表示媒体を、パネル基板間の空間を隔壁で区切って設けたセル内で、観察側基板に設けた電極と、背面側基板に設けた電極とが、対向して形成する対向対画素電極間を移動させて、画像等の情報を表示するＡ３判以上の大画面表示を行うドットマトリックス型情報表示用パネルであって、四角形状である１画素の画素サイズ（対辺間距離）が５００μｍを超えるものであって、粒子群を配置するセルと、対向対画素電極との関係が、複数セル対１画素となるように構成した。【選択図】図４
2010026161.tif 000002
【特許請求の範囲】
【請求項１】
帯電性粒子を含んだ粒子群として構成した表示媒体を、パネル基板間の空間を隔壁で区切って設けたセル内で、観察側基板に設けた電極と、背面側基板に設けた電極とが、対向して形成する対向対画素電極間を移動させて、画像等の情報を表示するＡ３判以上の大画面表示を行うドットマトリックス型情報表示用パネルであって、
四角形状である１画素の画素サイズ（対辺間距離）が５００μｍを超えるものであって、粒子群を配置するセルと、対向対画素電極との関係が、複数セル対１画素となるように構成したことを特徴とするドットマトリックス型情報表示用パネル。
【請求項２】
粒子群を配置するセルを形成する隔壁において、四角形状である１画素を囲むように形成する隔壁部分を、パネル基板間のギャップ確保機能を担う基板間ギャップ確保用隔壁として構成するとともに、前記基板間ギャップ確保用隔壁の内側領域をさらに細かく区切って複数のセルを形成する隔壁を、基板間ギャップ確保用隔壁の幅よりも狭い幅のセル形成用隔壁として構成したことを特徴とする請求項１に記載のドットマトリックス型情報表示用パネル。
【請求項３】
前記隔壁で区切られて形成された四角形セルの大きさが、１００〜５００μｍの１辺と１００〜５００μｍの１辺の範囲であることを特徴とする請求項２に記載のドットマトリックス型情報表示用パネル。
【請求項４】
前記基板間ギャップ確保用隔壁の幅が、２０〜１００μｍの範囲であり、前記セル形成用隔壁の幅が、５〜３０μｍの範囲であることを特徴とする請求項２または３に記載のドットマトリックス型情報表示用パネル。
【請求項５】
Ａ３判以上の大画面を、複数の切り離された小画面パネルからなる表示用パネルユニットで構成したことを特徴とする請求項１〜４のいずれか１項に記載のドットマトリックス型情報表示用パネル。
【発明の詳細な説明】
【技術分野】
【０００１】
本発明は、帯電性粒子を含んだ粒子群として構成した表示媒体を駆動させて画像等の情報表示を行うドットマトリックス型情報表示用パネルであって、画素サイズが５００μｍを超えるＡ３判以上の大画面表示を行うドットマトリックス型情報表示用パネルに関するものである。
【背景技術】
【０００２】
帯電性粒子を含んだ粒子群を表示媒体として駆動させる帯電粒子移動型ディスプレイパネルとして、パネル基板間を隔壁で仕切って構成し、その隔壁で囲まれた小部屋（セル）内に表示媒体とする粒子群を封入し、基板に設けた対電極間に電界を形成して表示媒体を移動させて画像等の情報を表示するディスプレイパネルが知られている。
【０００３】
また、帯電性粒子を含んだ粒子群を配置するセルと、粒子群に電界を付与するために配置する対向対電極が形成する表示単位（１画素といったり、１ピクセルといったりする）との関係を、セル対画素を１対１に対応させることが知られている。さらに、帯電性粒子を含んだ粒子群を配置するセルと、粒子群に電界を付与するために配置する対向対電極が形成する表示単位（１画素といったり、１ピクセルといったりする）との関係を、対応させない（例えば、四角形の画素に対して六角形のセルをハニカム状に設ける）ことが知られている（例えば、特許文献１参照）。
【０００４】
【特許文献１】国際公開ＷＯ２００５／０１５８９２号公報
【発明の開示】
【発明が解決しようとする課題】
【０００５】
大画面のディスプレイパネルでは、その目的によってはさほど高精細であることを要しない場合があり、その場合の画素サイズは比較的大きくなる。図１７に一例を示すように、対向するパネル基板の各別に直交するように形成されたカラム電極とロウ電極とが重なり合う部分から構成される四角形状の１画素を隔壁で囲んだセルサイズＤ１が５００μｍを超える場合、従来のように、１画素に対して１セルとしたり（図１７の例）、複数画素に対して１セルとしたり、単に画素とセルとを対応させないようにしたりするだけでは、セル内に配置した表示媒体である粒子群が駆動するたびにパネル基板と平行な方向に位置ずれを起こして偏在するようになり、表示品質を低下させることがあった。
【０００６】
また、大画面のディスプレイパネルは画素数を小画面ディスプレイと同じにして、大きな画素サイズとすることで駆動ドライバー用ＩＣの数を増やさないように構成されるとともに、立て掛けて用いたり、壁などに掛けて用いたりする場合が多く、従来のように、１画素に対して１セルとしたり、複数画素に対して１セルとしたり、単に画素とセルとを対応させないようにしたりした構成では、セル内に配置した表示媒体である粒子群が駆動するたびに重力によりその位置が下方にずれていき、次第にセル内の底部に偏在するようになり、駆動性が低下することがあった。
【０００７】
本発明の目的は上述した問題点を解消して、画素サイズが５００μｍ×５００μｍを超える表示パネル内における、表示媒体とする粒子群の偏在をなくすことができ、表示品質の低下および駆動性の低下を防ぐことができるＡ３判以上のドットマトリックス型情報表示用パネルを提供しようとするものである。
【課題を解決するための手段】
【０００８】
本発明のドットマトリックス型情報表示用パネルは、帯電性粒子を含んだ粒子群として構成した表示媒体を、パネル基板間の空間を隔壁で区切って設けたセル内で、観察側基板に設けた電極と、背面側基板に設けた電極とが、対向して形成する対向対画素電極間を移動させて、画像等の情報を表示するＡ３判以上の大画面表示を行うドットマトリックス型情報表示用パネルであって、四角形状である１画素の画素サイズ（対辺間距離）が５００μｍを超えるものであって、粒子群を配置するセルと、対向対画素電極との関係が、複数セル対１画素となるように構成したことを特徴とするものである。
【０００９】
また、本発明のドットマトリックス型情報表示用パネルの好適例としては、粒子群を配置するセルを形成する隔壁において、四角形状である１画素を囲むように形成する隔壁部分を、パネル基板間のギャップ確保機能を担う基板間ギャップ確保用隔壁として構成するとともに、前記基板間ギャップ確保用隔壁の内側領域をさらに細かく区切って複数のセルを形成する隔壁を、基板間ギャップ確保用隔壁の幅よりも狭い幅のセル形成用隔壁として構成したこと、隔壁で区切られて形成された四角形セルの大きさが、１００〜５００μｍの１辺と１００〜５００μｍの１辺の範囲であること、基板間ギャップ確保用隔壁の幅が、２０〜１００μｍの範囲であり、前記セル形成用隔壁の幅が、５〜３０μｍの範囲であること、がある。
【００１０】
さらに、本発明のドットマトリックス型情報表示用パネルの好適例としては、帯電性粒子を含んだ粒子群として構成した表示媒体を、パネル基板間の空間を隔壁で区切って設けたセル内で、観察側基板に設けたライン電極と、背面側基板に設けたライン電極とが、対向直交交差して形成する対向対画素電極間を移動させて、画像等の情報を表示するＡ３判より小さな画面表示を行うドットマトリックス型情報表示用パネルを複数マトリックス配置し、前記Ａ３判より小さな画面表示を行う複数のドットマトリックス型情報表示用パネル個々を駆動することによって、Ａ３判以上の大画面表示を行うドットマトリックス型情報表示用パネルとすること、帯電性粒子を含んだ粒子群として構成した表示媒体を、パネル基板間の空間を隔壁で区切って設けたセル内で、観察側基板に設けたライン電極と、背面側基板に設けたライン電極とが、対向直交交差して形成する対向対画素電極間を移動させて、画像等の情報を表示するＡ３判より小さな画面表示を行う複数のドットマトリックス型情報表示用パネルを複数マトリックス配置し、前記Ａ３判より小さな画面表示を行う複数のドットマトリックス型情報表示用パネルの、各基板に形成されたライン電極を互いに電気的に接続することによって、Ａ３判以上の大画面表示を行うドットマトリックス型情報表示用パネルとしたこと、複数マトリックス配置してＡ３判以上の大画面表示を行うドットマトリックス型情報表示用パネルとする、前記Ａ３判より小さな画面表示を行う複数のドットマトリックス型情報表示用パネルの粒子群を配置するセルを形成する隔壁において、四角形状である１画素を囲むように形成する隔壁部分を、パネル基板間のギャップ確保機能を担う基板間ギャップ確保用隔壁として構成するとともに、前記基板間ギャップ確保用隔壁の内側領域をさらに細かく区切って複数のセルを形成する隔壁を、基板間ギャップ確保用隔壁の幅よりも狭い幅のセル形成用隔壁として構成したこと、複数マトリックス配置してＡ３判以上の大画面表示を行うドットマトリックス型情報表示用パネルとする、前記Ａ３判より小さな画面表示を行う複数のドットマトリックス型情報表示用パネルの粒子群を配置するセルを形成する隔壁において、前記基板間ギャップ確保用隔壁の幅が、２０〜１００μｍの範囲であり、前記セル形成用隔壁の幅が、５〜３０μｍの範囲であること、Ａ３判以上の大画面を、複数の切り離された小画面パネルからなる表示用パネルユニットで構成したこと、がある。
【発明の効果】
【００１１】
本発明によれば、四角形状の１画素に対して複数のセルを形成するように隔壁を構成したので、四角形状の１画素の大きさ（対辺間距離）が５００μｍを超える大きさとなる場合においても、１画素に配置された表示媒体である粒子群は１辺が５００μｍ以下の四角形領域内で隔壁に囲まれているので、粒子群がパネル基板と平行な方向に位置ずれを起こして偏在することがなく、表示画質の低下を防ぐことができるドットマトリックス型情報表示用パネルとすることができる。
【００１２】
また、１画素を囲むように形成した基板間ギャップ確保用隔壁の内側に設けるセル形成用隔壁は、カラム電極を横切るように１以上形成して、少なくともドットマトリックス型情報表示用パネルを立てて使用する場合の重力方向に位置するセル辺長さが、５００μｍ以下となるようにしたので、ドットマトリックス型情報表示用パネルを立てて使用しても、セル内に配置した表示媒体である粒子群がパネル基板と平行な方向に大きく位置ずれを起こして偏在することがなく、表示画質の低下を防ぐことができるドットマトリックス型情報表示用パネルとすることができる。
【００１３】
さらに、画素内に、画素を区切るように設ける隔壁は、セル形成用隔壁として、パネル基板間ギャップ確保を担わせないようにして、その幅をできるだけ細くし、５〜３０μｍの範囲とした場合は、非表示領域が増大することに起因する表示品質の低下をより効果的に抑えることができる。この場合、パネル基板間ギャップの確保は画素周りに配置するパネル基板間ギャップ確保用隔壁だけが担うことになるので、パネル基板間ギャップ確保用隔壁の幅をできるだけ太くし、２０〜１００μｍの範囲とする。画素サイズにもよるが、この範囲であれば画面全体の表示品質を低下させずに効果的なパネル基板間ギャップ確保が行える。
【発明を実施するための最良の形態】
【００１４】
まず、本発明のドットマトリックス型情報表示用パネルで用いる表示パネルの一例について説明する。本発明のドットマトリックス型情報表示用パネルで用いる表示パネルの一例では、対向する２枚の基板間の空間に封入した光学的反射率を有する帯電性粒子を含んだ粒子群として構成された表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、表示パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１５】
本発明のドットマトリックス型情報表示用パネルで用いる表示パネルの例を、図１（ａ）、（ｂ）〜図３（ａ）、（ｂ）に基づき説明する。
【００１６】
図１（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ＴＦＴ（薄膜トランジスタ）付き画素電極）と基板２に設けた電極６（共通電極）との間に電圧を印加することにより発生する電界に応じて、基板１、２と垂直に移動させる。そして、図１（ａ）に示すように白色表示媒体３Ｗを観察者に視認させて白色の表示（白色の３ドット）を行うか、あるいは、図１（ｂ）に示すように黒色表示媒体３Ｂを観察者に視認させて黒色の表示（黒色の３ドット）を行っている。なお、図１（ａ）、（ｂ）において、手前にある隔壁は省略している。ここでは、セル空間が気体で満たされている帯電粒子気体中移動方式の表示パネルの例を説明したが、気体の代わりに、絶縁液体を用いた帯電粒子液体中移動方式（電気泳動方式）の表示パネルとすることもできる。
【００１７】
図２（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ライン電極）と基板２に設けた電極６（ライン電極）とが対向直交交差して形成する画素電極対の間に電圧を印加することにより発生する電界に応じて、基板１、２と垂直に移動させる。そして、図２（ａ）に示すように白色表示媒体３Ｗを観察者に視認させて白色の表示（白色の３ドット）を行うか、あるいは、図２（ｂ）に示すように黒色表示媒体３Ｂを観察者に視認させて黒色の表示（黒色の３ドット）を行っている。なお、図２（ａ）、（ｂ）において、手前にある隔壁は省略している。
【００１８】
図３（ａ）、（ｂ）に示す例では、３個のセル（ピクセル）で表示単位（１ドット）を構成するカラー表示の例を示している。図３（ａ）、（ｂ）に示す例では、表示媒体としてはセル２１−１〜２１−３の全てに白色表示媒体３Ｗと黒色表示媒体３Ｂとを充填し、第１のセル２１−１の観察者側に赤色カラーフィルター２２Ｒを設け、第２のセル２１−２の観察者側に緑色カラーフィルター２２Ｇを設け、第３のセル２１−３の観察者側に青色カラーフィルター２２ＢＬを設け、第１のセル２１−１、第２のセル２１−２および第３のセル２１−３の３個のセル（ピクセル）で表示単位（１ドット）を構成している。本例では、カラー表示を行う際に、図３（ａ）に示すように、観察者側に、第１セル２１−１〜第３のセル２１−３の全てにおいて白色表示媒体３Ｗを移動すると、観察者に対し白色ドット表示を行うことができ、図３（ｂ）に示すように、観察者側に、第１セル２１−１〜第３のセル２１−３の全てにおいて黒色表示媒体３Ｂを移動すると、観察者に対し黒色ドット表示を行うことができる。なお、図３（ａ）、（ｂ）において、手前にある隔壁は省略している。
【００１９】
上述した図１（ａ）、（ｂ）〜図３（ａ）、（ｂ）に示す例では、ドットマトリックス型表示パネルの概念を説明するために、１画素が５００μｍ×５００μｍ以下のサイズで１画素と１セルとが１対１で対応している例を説明した。これらの表示パネルの構成を前提としたうえで、本発明のドットマトリックス型情報表示用パネルの特徴は、画素サイズが５００μｍ×５００μｍを超え、Ａ３判以上の大画面表示に用いるドットマトリックス型情報表示用パネルにおいて、粒子群を配置するセルと、対向パネル基板に形成した対向対電極で構成される画素との関係が、複数セル対１画素となるように構成した点にある。
【００２０】
以下、本発明のＡ３判以上の大画面表示を行うドットマトリックス型情報表示用パネルにおける各特徴部分について詳細に説明する。
【００２１】
帯電性粒子を含んだ粒子群として構成した表示媒体を駆動させる方式の情報表示用パネルであって、特に、さほど高精細であることを要しない用途に用いられる画素サイズが５００μｍを超える画素を用いてＡ３判以上の大画面表示を行うドットマトリックス型情報表示用パネルにおいて、粒子群を配置するセルと、対向パネル基板に形成した対向対電極で構成される画素（ピクセルともいう）との構成関係を、複数セル対１画素（１ピクセル）となるようにした。
【００２２】
画素サイズが５００μｍを超えるパッシブ駆動方式のドットマトリックス型情報表示用パネルにおいて、１画素（１ピクセル）内に、粒子群を配置するセルを少なくとも２個以上となる複数個設けて、粒子群を配置した四角形セル個々の１辺のうち、カラム電極に平行となる対向２辺の長さが３００μｍ以下となるようにして、セルと画素（ピクセルともいう）との構成関係を、複数セル対１画素（１ピクセル）となるようにした。３００μｍ以下の長さとする前記対向２辺は、情報表示用パネルを立てて使用する場合に、縦方向に並ぶことになる。ロウ電極に平行となる対向２辺の長さは５００μｍ以下であればよく、画素が５００μｍ以下×６００μｍサイズの場合には、１本のセル形成用隔壁をカラム電極を横切って形成して、５００μｍ以下×３００μｍのセルを２個設ける。以上はパッシブ駆動方式のドットマトリックス型情報表示用パネルについて説明したが、ドット電極を１画素としたアクティブ駆動方式のドットマトリックス型情報表示用パネルにおいても同様のことができる。
【００２３】
具体的には、１画素（１ピクセル）が同じ大きさのセルになるように、さらに細かく仕切るようにして複数のセルを形成するのが好ましい。１画素に配置する複数のセル数は、少なくとも２個とし、セルの１辺の長さが１００μｍよりも小さくならない範囲の数まで設けることができる。これは、表示媒体とする粒子群の平均粒子径の好ましい範囲が、１μｍ〜２０μｍであり、この大きさの粒子を収納するセルの大きさとして１００μｍ以上であることが好ましいからである。
【００２４】
１画素に配置する複数のセルの１辺の長さは、１００μｍ〜５００μｍの範囲が好ましく、１００μｍ〜３００μｍの範囲がより好ましく、１画素が５００μｍ×５００μｍを超える場合に、５００μｍを超える対向２辺間にセル形成用隔壁を形成して本発明を適用する。
【００２５】
１画素（１ピクセル）を囲むように形成する隔壁は、セルを形成するとともに、パネル基板間ギャップを確保する部分となる。１画素内にさらにセルを形成する隔壁はパネル基板間ギャップ確保機能を担わないのでできるだけ幅を小さくしてセル開口部が広くなるようにする。
【００２６】
２枚のパネル基板を貼り合わせるときの接合は、パネル基板間ギャップ確保機能を担う隔壁部分の頂上と、相手側パネル基板表面とで行う。１画素内をさらに仕切る隔壁部分では接合しない構造とすることができる。
【００２７】
前記構造とするには、１画素（１ピクセル）を囲むように形成する隔壁と、１画素内にさらにセルを形成する隔壁とは、同じパネル基板に設けてもよいし、それぞれ別のパネル基板に設けてもよい。また、１画素内にさらにセルを形成する隔壁を、貼り合わせた時に対向するようにそれぞれ別のパネル基板に設けてもよい。この場合もパネル基板の貼り合わせ接合は、パネル基板間ギャップ確保を担う隔壁部分の頂上と相手側パネル基板表面とで行うので、セル形成専用の対向する隔壁の高さは、双方の高さを合計してもパネル基板間ギャップ以下となるようにする。
【００２８】
セル形成専用の隔壁を対向隔壁とする場合、対向部分に隙間があってもよく、その対向位置はパネル基板間の中央付近であることが好ましい。また隙間は、表示媒体とする粒子群の平均粒子径以下とすることが好ましい。前述した構成とすれば、粒子が隣のセルに移動する不具合を起こすこともないし、粒子が基板間を移動しにくくなる不具合を起こすこともない。
【００２９】
パネル基板間ギャップ確保用の隔壁部分の幅は、２０μｍ〜１００μｍの範囲が好ましく、セル形成専用の隔壁部分の幅は、５μｍ〜３０μｍの範囲で、できるだけ細くすることが好ましい。また、セル形成専用の隔壁部分を、縦断面において先細り形状として表示面側のセル開口部を大きくすることも表示領域が増すので好ましい。さらにまた、セル形成専用の隔壁部分を対向配置する構成とする場合、対向部分を縦断面において先細り形状とすることも、隔壁の対向位置がずれても粒子移動性に支障が出ないので好ましい。
【００３０】
複数画素（複数ピクセル）を囲むように形成する隔壁と、複数画素内にさらにセル形成の専用隔壁とで構成する場合は、セル形成の専用隔壁を、１画素内に少なくとも２個以上のセルを形成するように設ける。この場合、この領域内にある複数の画素については、画素周りを、パネル基板間ギャップ確保用隔壁とセル形成用隔壁とで囲まれた画素と、セル形成用隔壁のみで囲まれた画素とが混在した構成も含まれる。
【００３１】
パネル基板間ギャップ確保用として設ける隔壁部分の形状や配置は画素形状および画素配置に合わせるが、セル形成専用隔壁部分の形状や配置は自由に設計できる。配置としては、格子状、ハニカム状、網目状などがあり、セルの横断面形状としては、四角形、三角形、六角形等の多角形や、円形、楕円形、レーストラック形等いずれでも良いし、複数の形状を組み合わせても良い。  表示部の開口率を大きくできる点からは四角形や六角形が好ましく、表示媒体を構成する粒子を移動しやすくできる点からは曲線を有する形状が好ましい。前記二つの点から角丸付きの四角形や角丸付きの六角形が好ましく用いられる。パネル基板間ギャップ確保用隔壁は格子状に画素の位置に合わせて設ける。
【００３２】
次に、図４（ａ）、（ｂ）、図５（ａ）、（ｂ）および図６（ａ）、（ｂ）を参照して、本発明の大画面表示型情報表示用パネルの構成をさらに詳細に説明する。
【００３３】
図４（ａ）、（ｂ）に示す例では、対向するパネル基板の各別に直交するように形成されたライン状のカラム電極５とライン状のロウ電極６とが重なり合う部分から構成されるとともに、重なり合う部分を、パネル基板間のギャップ確保機能を担う基板間ギャップ確保用隔壁４−１で囲むことで、１画素を構成している。ここで、１画素のサイズＤＣ、ＤＲは５００μｍを超えている。そして、図４（ａ）に示す例では、１画素の中間でカラム電極５を横切る図中横方向に、基板間ギャップ確保用隔壁４−１よりも幅の狭いセル形成用隔壁４−２を形成する。これにより、１画素に２個のセルを形成し、セルサイズＤ１を５００μｍ以下としている。図４（ａ）に示す例では、パネルを立て掛けて設置する場合、画面上下方向すなわちカラム電極５が立てとなるように立て掛けるのが好ましい。また、図４（ｂ）に示す例では、図４（ａ）に示す例と同様に、１画素の中間で図中横方向にセル形成用隔壁４−２を形成するとともに、１画素の中間で図中縦方向に、基板間ギャップ確保用隔壁４−１よりも幅の狭いセル形成用隔壁４−２を形成する。これにより、１画素に４個のセルを形成し、セルサイズＤ１、Ｄ２を５００μｍ以下としている。図４（ｂ）に示す例では、パネルを立て掛けて設置する場合、画面上下方向に立て掛けても、画面左右方向に立て掛けてもよい。
【００３４】
図５（ａ）、（ｂ）に示す例でも、図４（ａ）、（ｂ）に示す例と同様に、対向するパネル基板の各別に直交するように形成されたライン状のカラム電極５とライン状のロウ電極６とが重なり合う部分から構成されるとともに、重なり合う部分を、パネル基板間のギャップ確保機能を担う基板間ギャップ確保用隔壁４−１で囲むことで、１画素を構成している。ここで、１画素のサイズＤＣ、ＤＲは５００μｍを超えている。そして、図５（ａ）に示す例では、１画素を三等分した位置で図中横方向に、それぞれが基板間ギャップ確保用隔壁４−１よりも幅の狭い２つのセル形成用隔壁４−２を形成する。これにより、１画素に３個のセルを形成し、セルサイズＤ１を５００μｍ以下としている。図５（ａ）に示す例では、パネルを立て掛けて設置する場合、画面上下方向に立て掛けるのが好ましい。また、図５（ｂ）に示す例では、図５（ａ）に示す例と同様に、１画素を３等分した位置であって図中横方向に２本のセル形成用隔壁４−２を形成するとともに、１画素の中間で図中縦方向にセル形成用隔壁４−２を形成する。これにより、１画素に６個のセルを形成し、セルサイズＤ１、Ｄ２を５００μｍ以下としている。図５（ｂ）に示す例では、パネルを立て掛けて設置する場合、画面上下方向に立て掛けることも、画面左右方向に立て掛けることもできるが、上下方向に立て掛ける方が好ましい。
【００３５】
図６（ａ）、（ｂ）に示す例では、対向するパネル基板の各別に形成された画素電極５、６とが重なり合う部分から構成されるとともに、重なり合う部分を、パネル基板間のギャップ確保機能を担う基板間ギャップ確保用隔壁４−１で囲むことで、１画素を構成している。ここで、１画素のサイズＤＣ、ＤＲは５００μｍを超えている。そして、図６（ａ）に示す例では、１画素を三等分した位置で図中横方向に、それぞれが基板間ギャップ確保用隔壁４−１よりも幅の狭い２つのセル形成用隔壁４−２を形成する。これにより、１画素に３個のセルを形成し、セルサイズＤ１を５００μｍ以下としている。図６（ａ）に示す例では、パネルを立て掛けて設置する場合、画面上下方向に立て掛けるのが好ましい。また、図６（ｂ）に示す例では、図６（ａ）に示す例と同様に、１画素を３等分した位置であって図中横方向に２本のセル形成用隔壁４−２を形成するとともに、１画素の中間で図中縦方向にセル形成用隔壁４−２を形成する。これにより、１画素に６個のセルを形成し、セルサイズＤ１、Ｄ２を５００μｍ以下としている。図６（ｂ）に示す例では、パネルを立て掛けて設置する場合、画面上下方向に立て掛けることも、画面左右方向に立て掛けることもできるが、上下方向に立て掛けるのが好ましい。
【００３６】
次に、図７（ａ）〜（ｃ）乃至図１１（ａ）〜（ｃ）を参照して、本発明のドットマトリックス型情報表示用パネルのパネル構造例をさらに詳細に説明する。図７（ａ）〜（ｃ）乃至図１１（ａ）〜（ｃ）に示す例において、上述した図１〜図６に示す例と同一の部材には同一の符号を付し、その説明を省略する。
【００３７】
図７（ａ）〜（ｃ）はそれぞれ本発明のドットマトリックス型情報表示用パネルの一例の１画素においてパネル構造、白ドット表示状態および黒ドット表示状態を説明するための図である。図７（ａ）〜（ｃ）に示す例では、パネル基板１、２の各別に設けたライン電極５、６を直交交差させて形成した１対電極を１画素としている。そして、１画素に対応する基板間ギャップ確保用隔壁４−１の内側に、基板間ギャップ確保用隔壁４−１よりも幅の狭いセル形成用隔壁４−２を図中縦方向および横方向にそれぞれ２本ずつ設け、１画素を９セルで構成している。なお、１１は基板間ギャップ確保用隔壁４−１の端部をパネル基板１に固定するための接着剤である。本例では、基板間ギャップ確保用隔壁４−１とセル形成用隔壁４−２とは同じ形状を有しているが、セル形成用隔壁４−２の幅を基板間ギャップ確保用隔壁４−１の幅よりも狭く構成し、パネルを表示面側から見たときに、セル形成用隔壁４−２がなるべく見えないように構成している。
【００３８】
図８（ａ）〜（ｃ）はそれぞれ本発明のドットマトリックス型情報表示用パネルの他の例の１画素においてパネル構造、白ドット表示状態および黒ドット表示状態を説明するための図である。図８（ａ）〜（ｃ）に示す例では、パネル基板１、２の各別に設けたライン電極５、６を直交交差させて形成した１対電極を１画素としている。そして、１画素に対応する基板間ギャップ確保用隔壁４−１の内側に、基板間ギャップ確保用隔壁４−１よりも幅の狭いセル形成用隔壁４−２を図中縦方向および横方向にそれぞれ２本ずつ設け、１画素を９セルで構成している。本例では、セル形成用隔壁４−２の形状を図中上方向にいくほど幅が狭くなる先細り形状とし、セル形成用隔壁４−２の幅を基板間ギャップ確保用隔壁４−１の幅よりも狭く構成し、パネルを表示面側から見たときに、セル形成用隔壁４−２がなるべく見えないように構成している。なお、パネル基板間の適正ギャップの確保は基板間ギャップ確保用隔壁４−１で行っているため、セル形成用隔壁４−２の先端は表示面側のパネル基板２に接合する必要はない。
【００３９】
図９（ａ）〜（ｃ）はそれぞれ本発明のドットマトリックス型情報表示用パネルのさらに他の例の１画素においてパネル構造、白ドット表示状態および黒ドット表示状態を説明するための図である。図９（ａ）〜（ｃ）に示す例では、パネル基板１、２の各別に設けたライン電極５、６を直交交差させて形成した１対電極を１画素としている。そして、１画素に対応する基板間ギャップ確保用隔壁４−１の内側に、基板間ギャップ確保用隔壁４−１よりも幅の狭いセル形成用隔壁４−２を図中縦方向に２本設け、１画素を３個の長方形セルで構成している。本例で−は、基板間ギャップ確保用隔壁４−１とセル形成用隔壁４−２とは同じ形状を有しているが、セル形成用隔壁４−２の幅を基板間ギャップ確保用隔壁４−１の幅よりも狭く構成し、パネルを表示面側から見たときに、セル形成用隔壁４−２がなるべく見えないように構成している。
【００４０】
図１０（ａ）〜（ｃ）はそれぞれ本発明のドットマトリックス型情報表示用パネルのさらに他の例の１画素においてパネル構造、白ドット表示状態および黒ドット表示状態を説明するための図である。図１０（ａ）〜（ｃ）に示す例では、パネル基板１、２の各別に設けたライン電極５、６を直交交差させて形成した１対電極を１画素としている。そして、１画素に対応する基板間ギャップ確保用隔壁４−１の内側に、基板間ギャップ確保用隔壁４−１よりも幅の狭いセル形成用隔壁４−２を図中縦方向および横方向にそれぞれ２本ずつ設け、１画素を９セルで構成している。本例では、セル形成用隔壁４−２を、各パネル基板１、２にそれぞれ形成され、凸状の先端部を有するセル形成用隔壁部分４−２−１と４−２−２とを、先端部が対向するよう配置することで、セル形成用隔壁４−２の幅を基板間ギャップ確保用隔壁４−１の幅よりも狭く構成し、パネルを表示面側から見たときに、セル形成用隔壁４−２がなるべく見えないように構成している。なお、パネル基板間の適正ギャップの確保は基板間ギャップ確保用隔壁４−１で行っているため、セル形成用隔壁４−２を構成するセル形成用隔壁部分４−２−１と４−２−２との先端部を互いに接合する必要はなく、対向していさえすれば隙間があっても良い。
【００４１】
図１１（ａ）〜（ｃ）はそれぞれ本発明のドットマトリックス型情報表示用パネルのさらに他の例の１画素においてパネル構造、白ドット表示状態および黒ドット表示状態を説明するための図である。図１１（ａ）〜（ｃ）に示す例では、パネル基板１、２の各別に設けた共通電極６とＴＦＴ付き画素電極５とを重ね合わせて形成した１対電極を１画素としている。そして、１画素に対応する基板間ギャップ確保用隔壁４−１の内側に、基板間ギャップ確保用隔壁４−１よりも幅の狭いセル形成用隔壁４−２を図中縦方向に２本設け、１画素を３個の長方形セルで構成している。本例では、セル形成用隔壁４−２を、各パネル基板１、２にそれぞれ形成され、凸状の先端部を有し、合わせた長さがパネル基板間ギャップよりも短いセル形成用隔壁部分４−２−１と４−２−２とを、先端部が隙間を有して対向するよう配置することで、セル形成用隔壁４−２の幅を基板間ギャップ確保用隔壁４−１の幅よりも狭く構成し、パネルを表示面側から見たときに、セル形成用隔壁４−２がなるべく見えないように構成している。
【００４２】
次に、図１２〜図１６を参照して、本発明のドットマトリックス型情報表示用パネルの他の例として、Ａ３判以上の大画面を、複数の切り離された小画面パネルからなる表示用パネルユニットで構成した例を説明する。図１２〜図１６に示す例では、分割した表示用パネルユニットの各々が、本発明の対象である、四角形状である１画素の画素サイズ（対辺間距離）が５００μｍを超えるものであって、粒子群を配置するセルと、対向対画素電極との関係が、複数セル対１画素となる構成を備えている。図１２〜図１６に示す例では、表示用パネルユニットとして現場に運び込み、現場で大画面表示パネルに組み立てることができ、折り畳む必要がなく、運搬性も良好で、さらに画面の良好な連続性を得ることができる。
【００４３】
図１２に示す例では、Ａ３判以上の大画面を有するトッドマトリックス型情報表示用パネル３１を、４枚の切り離された小画面パネルからなる表示用パネルユニット−１（３２−１）、表示用パネルユニット−２（３２−２）、表示用パネルユニット−３（３２−３）、表示用パネルユニット−４（３２−４）で構成した例を示している。本例では、４枚の表示パネルユニット３２−１〜３２−４を各別に現場に運び込み、現場で大画面表示ユニットに組み立てることで、大画面３１を得ることができる。
【００４４】
図１２に示す例では、表示用パネルユニット−１（３２−１）と表示用パネルユニット−２（３２−２）との間および表示用パネルユニット−３（３２−３）と表示用パネルユニット−４（３２−４）との間で表示面側の透明ライン電極６同士を接続するとともに、表示用パネルユニット−１（３２−１）と表示用パネルユニット−３（３２−３）との間および表示用パネルユニット−２（３２−２）と表示用パネルユニット−４（３２−４）との間で背面側のライン電極５同士を接続している。また、表示用パネルユニット−１（３２−１）と表示用パネルユニット−４（３２−４）との側面（図中右側面）、および、表示用パネルユニット−２（３２−２）と表示用パネルユニット−４（３２−４）との側面（図中下側面）、の電極端は駆動回路に接続される。
【００４５】
図１３（ａ）〜（ｃ）はそれぞれ図１２に示すＡ３判以上の大画面を有するドットマトリックス型情報表示用パネル３１を得るための表示用パネルユニットの組み立ての一例を説明するための図である。ここで、図１３（ａ）は１つの表示用パネルユニットの例を示し、図１３（ｂ）は表示用パネルユニット−１（３２−１）と表示用パネルユニット−２（３２−２）との間の表示面側のライン電極６同士の接続状態の一例を示し、図１３（ｃ）は表示用パネルユニット−１（３２−１）と表示用パネルユニット−３（３２−３）との間の背面側のライン電極５同士の接続状態の一例を示している。
【００４６】
図１３（ａ）に示すように、両基板１、２（ここでは図示せず）間に表示面側のライン電極６と背面側のライン電極５とを直交交差して設けた１つの表示用パネルユニット３２において、図１３（ｂ）に示す表示面側のライン電極６同士の接続の一例では、表示用パネルユニット−１（３２−１）の側面全体に設けたフランジ部３３−１上にライン電極６を延長したライン電極端部３６−１を設けるとともに、表示用パネルユニット−２（３２−２）の側面全体に設けたフランジ部３３−２上にライン電極６を延長したライン電極端部３６−２を設け、ライン電極端部３６−１とライン電極端部３６−２とを加圧接続して、表示面側のライン電極６を接続している。
【００４７】
また、図１３（ｃ）に示す背面側のライン電極５同士の接続の一例では、表示用パネルユニット−１（３２−１）の側面全体に設けたフランジ部３３−１上にライン電極５を延長したライン電極端部３５−１を設けるとともに、表示用パネルユニット−３（３２−３）の側面全体に設けたフランジ部３３−３上にライン電極５を延長したライン電極端部３５−３を設け、ライン電極端部３５−１とライン電極端部３５−３とを加圧接続して、背面側のライン電極５を接続している。なお、ライン電極端部は金属電極が好ましい。また、ライン電極端部同士の加圧接続は、後述するように、ネジ締め固定、クリップ留め固定などの固定方法を用いることができる。
【００４８】
図１４（ａ）、（ｂ）は、それぞれ、表示用パネルユニット−１（３２−１）と表示用パネルユニット−２（３２−２）との間における表示面側のライン電極６の接合の一例を説明するための図である。ここで、図１４（ａ）、（ｂ）はそれぞれ表示面側のライン電極６の接合状態の一例を示している。本例では、図１４（ａ）に示すように、ライン電極端部３６−１とライン電極端部３６−２とを位置決めして対向させた状態で、ライン電極端部３６−１とライン電極端部３６−２と加圧接続することで、図１４（ｂ）に示すように、表示用パネルユニット−１（３２−１）のライン電極端部３６−１と表示用パネルユニット−２（３２−２）のライン電極端部３６−２とが一体になるように接合している。
【００４９】
図１５（ａ）、（ｂ）は、それぞれ、表示用パネルユニット−１（３２−１）と表示用パネルユニット−３（３２−３）との間における背面側のライン電極５の接合の一例を説明するための図である。ここで、図１５（ａ）、（ｂ）はそれぞれ背面側のライン電極５の接合状態の一例を示している。本例では、図１５（ａ）に示すように、ライン電極端部３５−１とライン電極端部３５−３とを位置決めして対向させた状態で、ライン電極端部３５−１とライン電極端部３５−３と加圧接続することで、図１５（ｂ）に示すように、表示用パネルユニット−１（３２−１）のライン電極端部３５−１と表示用パネルユニット−３（３２−３）のライン電極端部３５−３とが一体になるように接合している。
【００５０】
図１６に示す例では、複数の表示用ユニットパネル３２を接合して構成したＡ３判以上の大画面を有するドットマトリックス型情報表示用パネル４１の一方の側面に、表示面側のライン電極６と駆動回路とを接続するための、パネル裏側へ折り返しができる接続回路ユニット基板４２を設けるとともに、ドットマトリックス型情報表示用パネル４１の他の側面に、背面側のライン電極５と駆動回路とを接続するための、パネル裏側へ折り返しができる接続回路ユニット基板４３を設けている。接続回路ユニット基板４２の端部には、表示面側のライン電極６と駆動回路との接続端子配置部４４を設け、表示面側のライン電極６を絞るように配線してライン電極６を接続端子配置部４４に集合させている。同様に、接続回路ユニット基板４３の端部には、背面側のライン電極５と駆動回路との接続端子配置部４５を設け、背面側のライン電極５を絞るように配線してライン電極５を接続端子配置部４５に集合させている。
【００５１】
上述したように、小画面サイズの表示パネルを、電気的に接続した構成のＡ３判以上の大画面のドットマトリックス型情報表示用パネルとする方法以外にも、それぞれが独立に駆動できるドットマトリックス型の小画面表示パネルをマトリックス状に複数組み合わせて配置して大画面を構成し、各表示パネルごとに独立して表示書換えを行って、大画面の一部を表示させて、それら部分画像を組み合わせた大画面表示を行う方法を採ることもできる。
【００５２】
以下、本発明のドットマトリックス型情報表示用パネルを構成する部材について説明する。
【００５３】
基板間ギャップ確保用として設ける基板間ギャップ確保用隔壁や、セル形成専用のセル形成用隔壁の形成材料としては、ドライフィルムレジスト材が好適に用いられる。一例として、アルフォＮＩＴ２（ニチゴーモートン社製）やＰＤＦ３００（新日鐵化学社製）を使用することができる。形成したい隔壁部分の高さに合せた厚みのドライフィルムレジスト材をパネル基板に積層し、所定形状のフォトマスクを用いてフォトリソ法によってパターニングする。パネル基板間ギャップ確保用隔壁の幅は、２０μｍ〜１００μｍの範囲とし、セル形成用隔壁の幅は、５μｍ〜３０μｍの範囲とし、セル形成用隔壁の部分の幅は、パネル基板間ギャップ確保用隔壁の部分の幅よりも小さくして、できるだけ画素において非表示領域が大きくならないようにする。
【００５４】
対向して配置する電極の電極材料としては、透明基板側に設ける透明電極としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン等の透明導電性高分子類が挙げられる。
【００５５】
背面側基板に設ける電極としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の導電金属酸化物類、ポリアニリン、ポリピロール、ポリチオフェン等の導電性高分子類や、金、銀、銅、アルミニウム、ニッケル、クロム等の金属や、これらの金属を主成分とする合金が挙げられる。背面側基板に設ける電極は透明であってもよいし、透明でなくても良い。
【００５６】
電極の形成方法としては、上記例示の材料をスパッタリング法、真空蒸着法、ＣＶＤ（化学蒸着）法、塗布法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、表示面側電極厚みは、導電性が確保でき光透過性に支障がなければ良く、０．０１〜１０μｍが好ましく、０．０５〜５μｍがより好ましい。また、背面側電極厚みは、導電性が確保できれば良く、０．０１〜１０μｍが好ましく、０．０５〜５μｍがより好ましい。
【００５７】
表示面側電極として好適な透明導電性材料は、金属材料に比べて可とう性が小さい。表示面側ライン状電極には、透明電極材中での断線防止のため、金属細線と併用することが好ましい。この金属細線の幅は、１μｍ〜１０μｍとすれば表示視認性の妨げとならないので好ましい。背面側電極は光透過性を考慮する必要がないので電気抵抗が小さく、可とう性にも優れた前記金属材料が好適に用いられる。また、背面側電極厚みは電気抵抗および生産性、コストの観点から、０．０１〜１０μｍに設計される。
【００５８】
次に、本発明のドットマトリックス型情報表示用パネルにおいて表示媒体とする粒子群を構成する帯電性粒子（以下、粒子ともいう）について説明する。帯電性粒子だけで粒子群を構成して表示媒体としたり、その他の粒子と合わせて粒子群を構成して表示媒体としたりして用いられる。
粒子には、その主成分となる樹脂に、必要に応じて、荷電制御剤、着色剤、無機添加剤等を含ますことができる。以下に、樹脂、荷電制御剤、着色剤、その他添加剤を例示する。
【００５９】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００６０】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００６１】
着色剤としては、以下に例示するような、有機または無機の各種、各色の顔料、染料が使用可能である。
【００６２】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００６３】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００６４】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００６５】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。上記着色剤を配合して所望の色の粒子を作製できる。
【００６６】
また、粒子は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００６７】
さらに本発明では、帯電性粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、粒子のサイズが揃い、表示媒体としての均一な移動が可能となる。
【００６８】
さらにまた、使用した帯電性粒子の内、最大径を有する帯電性粒子のd(0.5)に対する最小径を有する帯電性粒子のd(0.5)の比を１０以下とすることが肝要である。たとえ粒子径分布Spanを小さくしたとしても、互いに帯電特性の異なる粒子が互いに反対方向に動くので、互いの粒子サイズを同程度とし反対方向に容易に移動できるようにするのが好適であり、それがこの範囲となる。
【００６９】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００７０】
さらに、表示媒体とする粒子群を気体中空間で駆動させる表示パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ）、（ｂ）〜図３（ａ）、（ｂ）において、対向する基板１、基板２に挟まれる部分から、電極５、６（電極を基板の内側に設けた場合）、表示媒体３Ｗ、３Ｂの占有部分、隔壁４の占有部分（隔壁を設けた場合）、表示パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように表示パネルに封入することが必要であり、例えば、表示媒体の充填、表示パネルの組み立てなどを所定湿度環境下にて行い、さらに、外からの湿度侵入を防ぐシール材、シール方法を施すことが肝要である。
【００７１】
本発明のドットマトリックス型情報表示用パネルにおける基板と基板との間隔は、表示媒体が移動できて、コントラストを維持できればよいが、通常１０〜５００μｍ、好ましくは１０〜２００μｍに、さらに好ましくは１０〜１００μｍ、特に好ましくは１０〜５０μｍに調整される。
対向する基板間セル内の気体中空間における表示媒体の体積占有率は５〜７０％が好ましく、さらに好ましくは５〜６０％である。７０％を超える場合には表示媒体としての移動に支障をきたし、５％未満の場合にはコントラストが不明確となり易い。
【産業上の利用可能性】
【００７２】
本発明のドットマトリックス型情報表示用パネルは、大画面での表示が必要となる、看板、ポスター、黒板やホワイトボード等の掲示板として好適に用いられる。また、本発明のドットマトリックス型情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式など、種々のタイプの駆動方式が適用できる。
【図面の簡単な説明】
【００７３】
【図１】（ａ）、（ｂ）は本発明のドットマトリックス型情報表示用パネルの原理的構成の一例を示す図である。
【図２】（ａ）、（ｂ）は本発明のドットマトリックス型情報表示用パネルの原理的構成の他の例を示す図である。
【図３】（ａ）、（ｂ）は本発明のドットマトリックス型情報表示用パネルの原理的構成のさらに他の例を示す図である。
【図４】（ａ）、（ｂ）はそれぞれ本発明のドットマトリックス型情報表示用パネルの一例の構成を説明するための図である。
【図５】（ａ）、（ｂ）はそれぞれ本発明のドットマトリックス型情報表示用パネルの他の例の構成を説明するための図である。
【図６】（ａ）、（ｂ）はそれぞれ本発明のドットマトリックス型情報表示用パネルのさらに他の例の構成を説明するための図である。
【図７】（ａ）〜（ｃ）はそれぞれ本発明のドットマトリックス型情報表示用パネルのパネル構造の１画素における一例を説明するための図である。
【図８】（ａ）〜（ｃ）はそれぞれ本発明のドットマトリックス型情報表示用パネルのパネル構造の１画素における他の例を説明するための図である。
【図９】（ａ）〜（ｃ）はそれぞれ本発明のドットマトリックス型情報表示用パネルのパネル構造の１画素におけるさらに他の例を説明するための図である。
【図１０】（ａ）〜（ｃ）はそれぞれ本発明のドットマトリックス型情報表示用パネルのパネル構造の１画素におけるさらに他の例を説明するための図である。
【図１１】（ａ）〜（ｃ）はそれぞれ本発明のドットマトリックス型情報表示用パネルのパネル構造の１画素におけるさらに他の例を説明するための図である。
【図１２】本発明のドットマトリックス型情報表示用パネルのさらに他の例を説明するための図である。
【図１３】（ａ）〜（ｃ）はそれぞれ図１２に示す大画面を得るための表示用パネルユニットの組み立ての一例を説明するための図である。
【図１４】（ａ）、（ｂ）はそれぞれ表示用パネルユニット−１と表示用パネルユニット−２との間における表示面側のライン電極の接合の一例を説明するための図である。
【図１５】（ａ）、（ｂ）はそれぞれ表示用パネルユニット−１と表示用パネルユニット−３との間における背面側のライン電極の接合の一例を説明するための図である。
【図１６】本発明のドットマトリックス型情報表示パネルにおける駆動装置との接合の一例を説明するための図である。
【図１７】従来のドットマトリックス型情報表示用パネルの一例の構成を説明するための図である。
【符号の説明】
【００７４】
１、２  パネル基板
３Ｗ  白色表示媒体
３Ｂ  黒色表示媒体
３Ｗａ  負帯電性白色粒子
３Ｂａ  正帯電性黒色粒子
４−１  基板間ギャップ確保用隔壁
４−２  セル形成用隔壁
４−２−１、４−２−２  セル形成用隔壁部分
４  隔壁
５、６  電極
１１  接着剤
２１−１  第１のセル
２１−２  第２のセル
２１−３  第３のセル
２２Ｒ  赤色カラーフィルター
２２Ｇ  緑色カラーフィルター
２２ＢＬ  青色カラーフィルター
３１  大画面
３２、３２−１〜３２−４  表示用パネルユニット
３３−１〜３３−４  フランジ部
３５−１〜３５−４  ライン電極端部
３６−１〜３６−４  ライン電極端部
４１  大画面
４２、４３  接続回路ユニット基板
４４、４５  接続端子配置部
【図１】
2010026161.tif 000003
【図２】
2010026161.tif 000004
【図３】
2010026161.tif 000005
【図４】
2010026161.tif 000006
【図５】
2010026161.tif 000007
【図６】
2010026161.tif 000008
【図７】
2010026161.tif 000009
【図８】
2010026161.tif 000010
【図９】
2010026161.tif 000011
【図１０】
2010026161.tif 000012
【図１１】
2010026161.tif 000013
【図１２】
2010026161.tif 000014
【図１３】
2010026161.tif 000015
【図１４】
2010026161.tif 000016
【図１５】
2010026161.tif 000017
【図１６】
2010026161.tif 000018
【図１７】
2010026161.tif 000019